(57)【要約】【課題】撮影予定の被写体のメモ情報を予め入力可能なデジタルカメラを提供することを目的とする。【解決手段】ＣＰＵ３１は、「モード切替」キー１８が操作されて、メモ情報入力モードが選択された場合には、メモ情報入力処理を実行して、「＋」キー１１及び「−」キー１２で指定されページＮｏに、タッチパネル４０から入力される文字や絵等のメモ情報を、ＲＡＭ２９のページポインタＰ値で指定されるページＮｏに対応するメモ情報データテーブル２９Ｃのメモ情報データ記憶領域２９Ｃ１に格納する。【選択図】    図２
2006141075.tif 000002
【特許請求の範囲】
【請求項１】
撮像モード時に被写体の画像を撮像して記憶媒体に記憶するデジタルカメラにおいて、
撮像すべき画像に関するメモ情報を記憶可能なメモ情報記憶手段と、
撮像モード時に前記メモ情報記憶手段に記憶されているメモ情報を表示可能な表示手段と
を備えたデジタルカメラ。
【請求項２】
前記表示手段は、前記メモ情報記憶手段に記憶されているメモ情報を一括表示することを特徴とする請求項１記載のデジタルカメラ。
【請求項３】
前記表示手段は、前記メモ情報記憶手段に記憶されているメモ情報を順次表示することを特徴とする請求項１記載のデジタルカメラ。
【請求項４】
前記記憶媒体は、複数の画像を記憶することができるエリアを有し、該記憶媒体の複数の画像記録エリアのそれぞれに対応させ前記メモ情報記憶手段にそれぞれのメモ情報を記憶することを特徴とする請求項１記載のデジタルカメラ。
【請求項５】
前記記憶媒体の所定記録エリアを指定する指定手段と、
この指定手段で指定された前記所定記録エリアに対応する前記メモ情報記憶手段に記憶されているメモ情報を表示することを特徴とする請求項４記載のデジタルカメラ。
【請求項６】
前記指定手段は、前記所定記録エリアを順次指定することを特徴とする請求項５記載のデジタルカメラ。
【請求項７】
前記指定手段は、前記所定記録エリアを任意に指定することを特徴とする請求項５記載のデジタルカメラ。
【請求項８】
前記記憶媒体に画像を記憶するごとに前記メモ情報記憶手段に記憶されているメモ情報をチェックするチェック手段を有することを特徴とする請求項１記載のデジタルカメラ。
【請求項９】
前記チェック手段は、前記メモ情報記憶手段に記憶されているメモ情報を消去することを特徴とする請求項８記載のデジタルカメラ。
【請求項１０】
前記チェック手段によりチェックされたメモ情報及び該チェック手段によりチェックされてないメモ情報を検出する検出手段と、
この検出手段により検出されたチェック済み及びチェックなしの撮影状況を報知する第１の報知手段と
を有することを特徴とする請求項８記載のデジタルカメラ。
【請求項１１】
前記メモ情報記憶手段に記憶されているメモ情報が時間情報であると、該時間情報の時刻が到来した際に報知する第２の報知手段を有することを特徴とする請求項１記載のデジタルカメラ。
【請求項１２】
被写体の画像を撮像して記憶媒体に記憶するデジタルカメラにおいて、
前記記憶媒体の画像が記録される領域にメモ情報を記憶するメモ情報記憶手段と、
前記記憶媒体に記憶されている撮像画像、もしくは、メモ情報を読み出す読み出し手段と、
この読み出し手段により読み出された撮像画像、もしくは、メモ情報を表示する表示手段と、
を備えたデジタルカメラ。
【請求項１３】
前記記憶媒体の所定記録エリアを指定する指定手段と、
この指定手段で指定された前記所定記録エリアに記憶されているメモ情報を表示することを特徴とする請求項１２記載のデジタルカメラ。
【請求項１４】
前記指定手段は、前記所定記録エリアを順次指定することを特徴とする請求項１３記載のデジタルカメラ。
【請求項１５】
前記指定手段は、前記所定記録エリアを任意に指定することを特徴とする請求項１３記載のデジタルカメラ。
【請求項１６】
撮像を指示する撮像指示手段と、
この撮像指示手段により撮像が指示されたとき取り込まれた画像を前記指示手段により指示されている所定記録エリアに記録する記録制御手段と
を有することを特徴とする請求項１４または１５記載のデジタルカメラ。
【請求項１７】
前記記録媒体の所定記録エリアに撮像画像あるいはメモ情報が記録されているかを検出する検出手段と、
この検出手段により検出された撮像画像及びメモ情報の撮影状況を報知する第１の報知手段と
を有することを特徴とする請求項１２記載のデジタルカメラ。
【請求項１８】
前記記録媒体の所定記録エリアに記録されているメモ情報が時間情報であるとき、該時間情報の時刻が到来したときに報知する第２の報知手段を有することを特徴とする請求項１２記載のデジタルカメラ。
【請求項１９】
前記デジタルカメラに電気的に接続された外部機器に画像を送信する時、該画像と共に前記メモ情報を送信する送信手段を有することを特徴とする請求項1または１２記載のデジタルカメラ。
【発明の詳細な説明】
【技術分野】
【０００１】
本発明は、デジタルカメラに関し、特にメモ機能を備えたデジタルカメラに関する。
【背景技術】
【０００２】
近時、撮像した画像をフィルムの代わりに電気的に記憶するデジタルカメラ（電子カメラ）が普及している。かかるデジタルカメラは、撮影者がシャッターを押すと、レンズを通った画像がＣＣＤ素子によって捕捉され、カメラ内部の回路を通じて内部の記録媒体に書き込まれる。
【０００３】
かかるデジタルカメラにおいては、記録媒体のメモリ容量により撮影可能枚数が定まり、この撮影可能枚数の範囲で撮影者が所望の被写体を撮影している。
【発明の開示】
【発明が解決しようとする課題】
【０００４】
しかしながら、従来のデジタルカメラにあっては、撮影予定の被写体の取り忘れを防止したり、記録媒体のメモリ容量を確保するために、例えば、図１８の如き撮影予定を書き込んだメモ用紙を持ち歩き、撮影予定の被写体を撮影する毎に、図１９の如く、このメモ用紙に“撮影済み”とペン等で記入していたため、デジタルカメラとは別に筆記用具を携帯する必要があるため携帯性が悪く、また、上記した如く、メモ用紙に記入するという作業が必要であるため煩に耐えないという課題がある。
【０００５】
本発明は、上記課題に鑑みてなされたものであり、撮影予定の被写体のメモ情報を予め入力可能なデジタルカメラを提供することを目的とする。
【課題を解決するための手段】
【０００６】
請求項１記載の発明は、
撮像モード時に被写体の画像を撮像して記憶媒体に記憶するデジタルカメラにおいて、
撮像すべき画像に関するメモ情報を記憶可能なメモ情報記憶手段と、
撮像モード時に前記メモ情報記憶手段に記憶されているメモ情報を表示可能な表示手段と
を備えたことにより上記課題を解決する。
【０００７】
即ち、請求項１記載の発明によれば、メモ情報を記憶するメモ情報記憶手段を有し、撮像モード時にこのメモ情報を表示可能な構成であるので、撮影予定等のメモ情報を表示することができ、撮影予定の被写体の撮り忘れや被写体の撮り間違いを防止することが可能となる。
【０００８】
また、この場合、請求項２記載の発明の如く、請求項１記載の発明において、前記表示手段は、前記メモ情報記憶手段に記憶されているメモ情報を一括表示する構成としても良い。
【０００９】
即ち、請求項２記載の発明によれば、メモ情報を一括表示する構成であるので、請求項１記載の発明の効果に加えて、メモ情報を一度に確認することが可能となる。
【００１０】
また、この場合、請求項３記載の発明の如く、請求項１記載の発明において、前記表示手段は、前記メモ情報記憶手段に記憶されているメモ情報を順次表示する構成としても良い。
【００１１】
即ち、請求項３記載の発明によれば、メモ情報を順次表示する構成であるので、請求項１記載の発明の効果に加えて、メモ情報を順次確認することが可能となる。
【００１２】
また、この場合、請求項４記載の発明の如く、請求項１記載の発明において、前記記憶媒体は、複数の画像を記憶することができるエリアを有し、該記憶媒体の複数の画像記録エリアのそれぞれに対応させ前記メモ情報記憶手段にそれぞれのメモ情報を記憶する構成としても良い。
【００１３】
即ち、請求項４記載の発明によれば、記憶媒体に、複数の画像を記憶し、この記憶媒体の複数の画像記録エリアのそれぞれに対応させてメモ情報記憶手段にそれぞれのメモ情報を記憶する構成であるので、請求項１記載の発明の効果に加えて、撮像した画像とメモ情報との対応付けが容易になる。
【００１４】
また、この場合、請求項５記載の発明の如く、請求項１記載の発明において、
前記記憶媒体の所定記録エリアを指定する指定手段と、
この指定手段で指定された前記所定記録エリアに対応する前記メモ情報記憶手段に記憶されているメモ情報を表示する構成としても良い。
【００１５】
即ち、請求項５記載の発明によれば、記憶媒体の所定記録エリアを指定して、対応するメモ情報記憶手段に記憶されているメモ情報を表示する構成であるので、請求項１記載の発明の効果に加えて、メモ情報の指定が容易になるという効果を奏する。
【００１６】
また、この場合、請求項６記載の発明の如く、請求項５記載の発明において、前記指定手段は、前記所定記録エリアを順次指定する構成としても良い。
【００１７】
即ち、請求項６記載の発明によれば、請求項５記載の発明において、所定記録リアを順次指定してメモ情報を表示する構成であるので、請求項５記載の発明の効果に加えて、メモ情報を順次表示することが可能となる。
【００１８】
また、この場合、請求項７記載の発明の如く、請求項５記載の発明において、前記指定手段は、前記所定記録エリアを任意に指定する構成としても良い。
【００１９】
即ち、請求項７記載の発明によれば、請求項５記載の発明において、所定記録エリアを任意に指定して、指定されたメモ情報を表示する構成であるので、請求項５記載の発明の効果に加えて、任意のメモ情報を表示することが可能となる。
【００２０】
また、この場合、請求項８記載の発明の如く、請求項１記載の発明において、前記記憶媒体に画像を記憶するごとに前記メモ情報記憶手段に記憶されているメモ情報をチェックするチェック手段を有する構成としても良い。
【００２１】
即ち、請求項８記載の発明によれば、請求項１記載の発明において、記憶媒体に画像を記憶するごとにメモ情報記憶手段に記憶されているメモ情報をチェックする構成であるので、請求項１記載の発明の効果に加えて、撮影済みのメモ情報をチェックすることが可能となる。
【００２２】
また、この場合、請求項９記載の発明の如く、請求項８記載の発明において、前記チェック手段は、前記メモ情報記憶手段に記憶されているメモ情報を消去する構成としても良い。
【００２３】
即ち、請求項９記載の発明によれば、請求項８記載の発明において、チェック手段は、前記メモ情報記憶手段に記憶されているメモ情報を消去する構成であるので、請求項８記載の発明の効果に加えて、不要となったメモ情報を削除することが可能となる。
【００２４】
また、この場合、請求項１０記載の発明の如く、請求項８記載の発明において、前記チェック手段によりチェックされたメモ情報及び該チェック手段によりチェックされてないメモ情報を検出する検出手段と、
この検出手段により検出されたチェック済み及びチェックなしの撮影状況を報知する第１の報知手段と、
を有する構成としても良い。
【００２５】
即ち、請求項１０記載の発明によれば、請求項８記載の発明において、
チェック手段によりチェックされたメモ情報及び該チェック手段によりチェックされてないメモ情報を検出し、第１の報知手段によりチェック済み及びチェックなしの撮影状況を報知する構成であるので、請求項８記載の発明の効果に加えて、メモリ情報が入力された画像の撮影状況を確認することが可能となる。
【００２６】
また、この場合、請求項１１記載の発明の如く、請求項１記載の発明において、
前記メモ情報記憶手段に記憶されているメモ情報が時間情報であると、該時間情報の時刻が到来した際に報知する第２の報知手段を有する構成としても良い。
【００２７】
即ち、請求項１１記載の発明によれば、請求項１記載の発明において、メモ情報記憶手段に記憶されているメモ情報が時間情報である場合、該時間情報の時刻が到来した際に報知する構成であるので、請求項１記載の発明の効果に加えて、撮影予定時間を忘れることなく、撮影予定時間通りに撮影が可能となる。
【００２８】
請求項１２記載の発明は、
被写体の画像を撮像して記憶媒体に記憶するデジタルカメラにおいて、
前記記憶媒体の画像が記録される領域にメモ情報を記憶するメモ情報記憶手段と、
前記記憶媒体に記憶されている撮像画像、もしくは、メモ情報を読み出す読み出し手段と、
この読み出し手段により読み出された撮像画像、もしくは、メモ情報を表示する表示手段と、
を備えたことにより上記課題を解決する。
【００２９】
即ち、請求項１２記載の発明によれば、記憶媒体の画像が記録される領域にメモ情報を記憶し、このメモ情報若しくは撮像した画像を表示可能な構成であるので、撮影予定等のメモ情報を表示することができ、撮影予定の被写体の撮り忘れや被写体の撮り間違いを防止することが可能となる。記憶媒体の画像が記録される領域にメモ情報を記憶する構成であるので、使用するメモリの記憶容量を低減することが可能となる。
【００３０】
また、この場合、請求項１３記載の発明の如く、請求項１２記載の発明において、
前記記憶媒体の所定記録エリアを指定する指定手段と、
この指定手段で指定された前記所定記録エリアに記憶されているメモ情報を表示する構成としても良い。
【００３１】
即ち、請求項１３記載の発明によれば、請求項１３記載の発明において、記憶媒体の所定記録エリアを指定して、メモ情報を表示する構成であるので、請求項１３記載の発明の効果に加えて、メモ情報の指定が容易になるという効果を奏する。
【００３２】
また、この場合、請求項１４記載の発明の如く、請求項１２記載の発明において、
前記指定手段は、前記所定記録エリアを順次指定すること構成としても良い。
【００３３】
即ち、請求項１４記載の発明によれば、請求項１３記載の発明において、所定記録リアを順次指定してメモ情報を表示する構成であるので、請求項１３記載の発明の効果に加えて、メモ情報を順次表示することが可能となる。
【００３４】
また、この場合、請求項１５記載の発明の如く、請求項１３記載の発明において、
前記指定手段は、前記所定記録エリアを任意に指定する構成としても良い。
【００３５】
即ち、請求項１５記載の発明によれば、請求項１３記載の発明において、所定記録エリアを任意に指定して、指定されたメモ情報を表示する構成であるので、請求項１５記載の発明の効果に加えて、任意のメモ情報を表示することが可能となる。
【００３６】
また、この場合、請求項１６記載の発明の如く、請求項１４又は１５記載の発明において、
撮像を指示する撮像指示手段と、
この撮像指示手段により撮像が指示されたとき取り込まれた画像を前記指示手段により指示されている所定記録エリアに記録する記録制御手段とを備えた構成としても良い。
【００３７】
即ち、請求項１６記載の発明によれば、請求項１４又は１５記載の発明において、撮像指示手段により撮像が指示されたとき取り込まれた画像を、記憶制御手段が、指示手段により指示されている所定記録エリアに記録する構成であるので、請求項１４又は１５記載の発明の効果に加えて、記憶媒体の指定した記録エリアに画像を記憶することが可能となる。
【００３８】
また、この場合、請求項１７記載の発明の如く、請求項１２記載の発明において、
前記記録媒体の所定記録エリアに撮像画像あるいはメモ情報が記録されているかを検出する検出手段と、
この検出手段により検出された撮像画像及びメモ情報の撮影状況を報知する第１の報知手段と、
を備えた構成とした。
【００３９】
即ち、請求項１７記載の発明によれば、請求項１２記載の発明において、チェック手段によりチェックされたメモ情報及び該チェック手段によりチェックされてないメモ情報を検出し、第１の報知手段は、チェック済み及びチェックなしの撮影状況を報知する構成であるので、請求項１２記載の発明の効果に加えて、撮影画像及びメモリ情報の撮影状況を確認することが可能となる。
【００４０】
また、この場合、請求項１８記載の発明の如く、請求項１２記載の発明において、
前記記録媒体の所定記録エリアに記録されているメモ情報が時間情報であるとき、該時間情報の時刻が到来したときに報知する第２の報知手段を有する構成としても良い。
【００４１】
即ち、請求項１８記載の発明によれば、請求項１２記載の発明において、メモ情報記憶手段に記憶されているメモ情報が時間情報である場合、該時間情報の時刻が到来した際に報知する構成であるので、請求項１２記載の発明の効果に加えて、撮影予定時間を忘れることなく、撮影予定時間通りに撮影が可能となる。
【００４２】
さらに、請求項１９記載の発明の如く、請求項１または請求項１２記載の発明において、前記デジタルカメラに電気的に接続された外部機器に画像を送信する時、該画像と共に前記メモ情報を送信する送信手段を有する構成としても良い。
【００４３】
即ち、請求項１９記載の発明によれば、請求項１または請求項１２記載の発明において、外部機器に画像を送信する際、該画像に関するメモ情報がある場合、画像と共にメモ情報も送信でき、請求項１または請求項１２記載の発明の効果に加えて、外部機器での編集処理、例えばアルバム作成等が簡単にできる。
【発明の効果】
【００４４】
請求項１記載の発明によれば、メモ情報を記憶するメモ情報記憶手段を有し、撮像モード時にこのメモ情報を表示可能な構成であるので、撮影予定等のメモ情報を表示することができ、撮影予定の被写体の撮り忘れや被写体の撮り間違いを防止することが可能となる。
【００４５】
請求項２記載の発明によれば、メモ情報を一括表示する構成であるので、請求項１記載の発明の効果に加えて、メモ情報を一度に確認することが可能となる。
【００４６】
請求項３記載の発明によれば、メモ情報を順次表示する構成であるので、請求項１記載の発明の効果に加えて、メモ情報を順次確認することが可能となる。
【００４７】
請求項４記載の発明によれば、記憶媒体に、複数の画像を記憶し、この記憶媒体の複数の画像記録エリアのそれぞれに対応させてメモ情報記憶手段にそれぞれのメモ情報を記憶する構成であるので、請求項１記載の発明の効果に加えて、撮像した画像とメモ情報との対応付けが容易になる。
【００４８】
請求項５記載の発明によれば、記憶媒体の所定記録エリアを指定して、対応するメモ情報記憶手段に記憶されているメモ情報を表示する構成であるので、請求項１記載の発明の効果に加えて、メモ情報の指定が容易になるという効果を奏する。
【００４９】
請求項６記載の発明によれば、請求項５記載の発明において、所定記録リアを順次指定してメモ情報を表示する構成であるので、請求項５記載の発明の効果に加えて、メモ情報を順次表示することが可能となる。
【００５０】
請求項７記載の発明によれば、請求項５記載の発明において、所定記録エリアを任意に指定して、指定されたメモ情報を表示する構成であるので、請求項５記載の発明の効果に加えて、任意のメモ情報を表示することが可能となる。
【００５１】
請求項８記載の発明によれば、請求項１記載の発明において、記憶媒体に画像を記憶するごとにメモ情報記憶手段に記憶されているメモ情報をチェックする構成であるので、請求項１記載の発明の効果に加えて、撮影済みのメモ情報をチェックすることが可能となる。
【００５２】
請求項９記載の発明によれば、請求項８記載の発明において、チェック手段は、前記メモ情報記憶手段に記憶されているメモ情報を消去する構成であるので、請求項８記載の発明の効果に加えて、不要となったメモ情報を削除することが可能となる。
【００５３】
請求項１０記載の発明によれば、請求項８記載の発明において、チェック手段によりチェックされたメモ情報及び該チェック手段によりチェックされてないメモ情報を検出し、第１の報知手段によりチェック済み及びチェックなしの撮影状況を報知する構成であるので、請求項８記載の発明の効果に加えて、メモリ情報が入力された画像の撮影状況を確認することが可能となる。
【００５４】
請求項１１記載の発明によれば、請求項１記載の発明において、メモ情報記憶手段に記憶されているメモ情報が時間情報である場合、該時間情報の時刻が到来した際に報知する構成であるので、請求項１記載の発明の効果に加えて、撮影予定時間を忘れることなく、撮影予定時間通りに撮影が可能となる。
【００５５】
請求項１２記載の発明によれば、記憶媒体の画像が記録される領域にメモ情報を記憶し、このメモ情報若しくは撮像した画像を表示可能な構成であるので、撮影予定等のメモ情報を表示することができ、撮影予定の被写体の撮り忘れや被写体の撮り間違いを防止することが可能となる。記憶媒体の画像が記録される領域にメモ情報を記憶する構成であるので、使用するメモリの記憶容量を低減することが可能となる。
【００５６】
請求項１３記載の発明によれば、請求項１３記載の発明において、記憶媒体の所定記録エリアを指定して、メモ情報を表示する構成であるので、請求項１３記載の発明の効果に加えて、メモ情報の指定が容易になるという効果を奏する。
【００５７】
請求項１４記載の発明によれば、請求項１３記載の発明において、所定記録リアを順次指定してメモ情報を表示する構成であるので、請求項１３記載の発明の効果に加えて、メモ情報を順次表示することが可能となる。
【００５８】
請求項１５記載の発明によれば、請求項１３記載の発明において、所定記録エリアを任意に指定して、指定されたメモ情報を表示する構成であるので、請求項１５記載の発明の効果に加えて、任意のメモ情報を表示することが可能となる。
【００５９】
請求項１６記載の発明によれば、請求項１４又は１５記載の発明において、撮像指示手段により撮像が指示されたとき取り込まれた画像を、記憶制御手段が、指示手段により指示されている所定記録エリアに記録する構成であるので、請求項１４又は１５記載の発明の効果に加えて、記憶媒体の指定した記録エリアに画像を記憶することが可能となる。
【００６０】
請求項１７記載の発明によれば、請求項１２記載の発明において、チェック手段によりチェックされたメモ情報及び該チェック手段によりチェックされてないメモ情報を検出し、第１の報知手段は、チェック済み及びチェックなしの撮影状況を報知する構成であるので、請求項１２記載の発明の効果に加えて、撮影画像及びメモリ情報の撮影状況を確認することが可能となる。
【００６１】
請求項１８記載の発明によれば、請求項１２記載の発明において、メモ情報記憶手段に記憶されているメモ情報が時間情報である場合、該時間情報の時刻が到来した際に報知する構成であるので、請求項１２記載の発明の効果に加えて、撮影予定時間を忘れることなく、撮影予定時間通りに撮影が可能となる。
【００６２】
請求項１９記載の発明によれば、請求項１または請求項１２記載の発明において、外部機器に画像を送信する際、該画像に関するメモ情報がある場合、画像と共にメモ情報も送信でき、請求項１または請求項１２記載の発明の効果に加えて、外部機器での編集処理、例えばアルバム作成等が簡単にできる。
【発明を実施するための最良の形態】
【００６３】
以下、図１〜図１７を参照して本発明が適用される好適な実施の形態を説明する。
図１〜図１７は、本発明のデジタルカメラの一実施の形態を示す図である。
【００６４】
先ず、構成を説明する。
図１は、本実施の形態のデジタルカメラの外観構成を示す斜視図である。
図１に示す如く、デジタルカメラ１は、本体部２とカメラ部３とに分割された２つのブロックから構成される。
本体部２のケース４内には、ＬＣＤ（液晶表示装置）６が設けられてており、このＬＣＤ６の表示画面上には透明のタッチパネル４０が重ねて配置されている。そして、ＬＣＤ６及びタッチパネル４０は、ケース４の前面側に向けられている。
【００６５】
また、カメラ部３のケース５内の上部には、撮像レンズ７が設けられており、この撮像レンズ７は、ケース５の背面側に向けられている。
【００６６】
そして、本体部２は、ケース４の上面に、電源スイッチ８、「シャッター」キー９、［ＤＥＬ」キー１０、「＋」キー１１、「−」キー１２、「編集」キー１３、「ＤＩＰ（ディスプレイ）」キー１４、「ＺＯＯＭ」キー１５、及びＰＲＯＴＥＣＴ」キー１６等を備えると共に、開閉蓋１７内に、図示しない外部電源端子、ビデオ出力端子、ディジタル端子を備えている。
更に、ケース４の前面に、「モード切替」キー１８を備えており、ケース４の下面には開閉式の電池蓋（図示せず）が設けられている。
【００６７】
そして、このカメラ部３は、本体部２に対して撮影者による左手操作側の側面に配置されて、本体部２に対して前方９０°、後方に１８０°回動可能に組み付けられている。
【００６８】
図２は、図１に示したデジタルカメラ１の回路構成を示すブロック図である。
図２に示すデジタルカメラ１は、ＣＣＤ（Charge Coupled Divice）２０、Ａ／Ｄ変換器２２、駆動回路２３、タイミングジェネレータ２４、ＤＲＡＭ２５、圧縮／伸長回路２６、フラッシュメモリ２７、ＲＯＭ２８、ＲＡＭ２９、キー入力部３０、タッチパネル４０、時計回路４１、ＣＰＵ３１、シグナルジェネレータ３２、ＶＲＡＭ（Video RAM）３３、Ｄ／Ａ変換器３４、ＬＣＤ（Liquid Crystal Display）６、スピーカー４３、及びＩ／Ｏポート３６等から構成されている。
【００６９】
ＣＣＤ２０は、図示しない電子シャッタが開閉して透過状態になる毎に、撮像レンズ７で結像した被写体の光像を受光し、そして、受光面上に配された各転送電極毎に受光量に比例した電荷を蓄積し、駆動回路２３により供給される駆動信号に応じて、各転送電極に蓄えられた蓄積電荷を電気信号（アナログ信号）として、１電極づつ順次、バッファ２１を介してＡ／Ｄ変換器２２に出力する。
【００７０】
Ａ／Ｄ変換器２２は、ＣＣＤ２０から出力される電気信号をディジタル信号に変換して得られるデジタルの画像データを、タイミングジェネレータ２４に供給する。
【００７１】
駆動回路２３は、タイミングジェネレータ２４から供給されるタイミング信号に基づいてＣＣＤ２０の露光及び読み出しタイミングを駆動制御する。
【００７２】
タイミングジェネレータ２４は、駆動回路２３を制御するタイミング信号を発生する。
【００７３】
ＤＲＡＭ２５は、取り込んだ画像データを一時的に記憶する半導体メモリである。
【００７４】
圧縮／伸長回路２３は、ＤＲＡＭ２５に格納されたディジタル画像データを符号化により圧縮処理するとともに、フラッシュメモリ２７に記憶されている圧縮データを復号化して伸長処理する。
【００７５】
フレッシュメモリ２７は、図３に示す如くメモリ構成されており、圧縮／伸長回路２６により圧縮した圧縮データを記憶する画像メモリ領域２７Ａを具備したメモリであり、圧縮データは、ページＮｏに関連付けて記憶される。図３において、ＣＯＭは圧縮データを示しており、ページＮｏ．ｎ（ｎは自然数、１≦ｎ≦Ｎ）には、圧縮データＣＯＭｎが対応して記憶される。例えば、Ｎ＝９６とした場合には、画像データを圧縮した状態で、最大９６ページ分の撮影画像を記憶することができる。
【００７６】
ＲＯＭ２８は、デジタルカメラ１内で利用されるプログラムやデータ等を格納している。
【００７７】
ＲＡＭ２９は、図４に示す如くメモリ構成されており、ＣＰＵ３１によって実行されるプログラム処理において利用されるワークエリアＡと、フラッシュメモリ２７及びメモ情報テーブル２９ＣのページＮｏを指定するためのページポインタＰ（Ｐ＝１〜Ｎ）を記憶するページポインタ記憶領域２９Ｂと、メモ情報データや撮影状況フラグを格納するメモ情報テーブル２９Ｃとを備えている。
【００７８】
メモ情報テーブル２９Ｃは、入力されたメモ情報データを記憶するメモ情報データ記憶領域２９Ｃ１と、対応するページＮｏの画像が撮影済みか否かを示す撮影状況フラグ記憶領域２９Ｃ２とを備えており、メモ情報データとこのメモ情報データに対応する撮影状況フラグとは、共通のページＮｏに関連付けて記憶される。このメモ情報データ記憶領域２９Ｃ１は、撮影予定の被写体データが記憶される被写体データ記憶領域２９Ｃ１Ａと撮影予定時間データが記憶される撮影予定時間データ記憶領域２９Ｃ１Ｂに区分されている。
【００７９】
また、図４において、撮影状況フラグ「１」は、撮影済みを示し、「０」は、未撮影を示している。データの一例を上げると、ページＮｏ．０２には、メモ情報データの被写体データとして司会者が記憶され、撮影予定時刻は未設定となっており、また、撮影状況フラグは、「１」即ち撮影済みとなっている。
【００８０】
キー入力部３０は、図１に示す「＋」キー１１、「−」キー１２、「ＤＥＬ」キー１０、「編集」キー１３、「ＤＳＰ」キー１４、「ＺＯＯＭ」キー１５、「ＰＲＯＴＥＣＴ」キー１６、及び「シャッター」キー９、「フアンクション切換」キー１８等を含み、デジタルカメラ１における各種処理の選択に際して操作者が指示するためのものである。
上記「ファンクション切換」キー１８は、後述するメモ情報入力モード、メモ情報表示モード、撮影モード、ページ状況確認モード、及び表示モード等の各モードの切換を指示するためのキーである。
また、上記「＋」「−」キー１１、１２はページＮｏを指定するためのキーである。
【００８１】
タッチパネル４０は、例えば、抵抗膜を用いた透明なアナログタッチパネルにより構成されており、入力ペン５０により表示画面上の座標位置が加圧されて指定されると、その座標位置に応じた検出電圧を図示しない座標検出部に供給する。
上記した如く、タッチパネル４０は、上記ＬＣＤ６の表示画面上に、重ねて配置されており、上記ＬＣＤ６の表示画面には、各キーコードに対応する各キーを画像として表示できると共に、上記タッチパネル４０において、表示画面上の各キーを入力ペン５０でタッチすることにより、各キーの座標位置が入力できるようになっており、これらＬＣＤ６の表示画面とタッチパネル４０とから一種のキーボードを構成することができるようになっている。
【００８２】
図示しない座標検出部は、タッチパネル４０から供給される検出電圧を図示しないＡ／Ｄ変換器によりディジタル信号に変換するとともに、ＬＣＤ６の表示画面に適した座標データに変換して、この座標データをＣＰＵ３１に供給する。そして、ＣＰＵ３１は、この座標データに応じて文字認識等を行って、入力ペン５０によりタッチパネル３７で描画された文字や絵等のメモ情報をＬＣＤ６に表示させる。
【００８３】
時計回路４１は、現在時刻を計時して現在時刻データをＣＰＵ３１に送出し、スピーカ４３はＣＰＵ３１から報音指令信号が供給されるとアラーム音を報音する。
【００８４】
シグナルジェネレータ３２は、画像データに同期信号を付加してビデオ信号を作成する。
【００８５】
ＶＲＡＭ３３は、シグナルジェネレータ３２で生成されたビデオ信号を記憶するメモリである。
【００８６】
Ｄ／Ａ変換器３４は、シグナル・ジェネレータ３２から出力されたデジタルのビデオ信号をアナログのビデオ信号に変換する。
【００８７】
ＬＣＤ（Liquid Crystal Display）６は、入力されたビデオ信号に基づいて液晶を駆動して画像を表示し、また、タッチパネル４０からのメモ情報を表示する。
【００８８】
Ｉ／Ｏポート３６は、ＣＰＵ３１でシリアル信号に変換された画像データなどを入出力するインターフェースであり、ＦＤＤ装置やパソコン等の外部装置が接続可能である。不図示の赤外線通信部は、パソコン等の外部装置と画像データ等の赤外線通信（例えば、ＩｒＤＡ）を行うためのユニットである。
【００８９】
ＣＰＵ３１は、ＲＯＭ２８に記憶された各種プログラムに基づいて、ＲＡＭ２９のワークメモリを作業領域に使用しつつ、キー入力部３０の各キーの操作に応じた処理を実行して、デジタルカメラ１の各部を制御する。
【００９０】
また、ＣＰＵ３１は、キー入力部３０の「モード切替」キー１８が操作されて、メモ情報入力モードが選択された場合には、後述するメモ情報入力処理を実行する。具体的には、ＣＰＵ３１は、ページＮｏが指定され、文字や絵等のメモ情報が入力されると、ＲＡＭ２９内のメモ情報データテーブル２９Ｃの指定されたページＮｏに対応するメモ情報データ記憶領域２９Ｃ１に入力されたメモ情報を格納する。
【００９１】
また、ＣＰＵ３１は、キー入力部３０の「モード切替」キー１８が操作されて、メモ情報表示モードが選択された場合には、後述するメモ情報表示処理を実行する。具体的には、ＲＡＭ２９内のメモ情報データテーブル２９Ｃのメモ情報データ記憶領域２９Ｃ１に記憶されているメモ情報を読み出してＬＣＤ６に表示する。
【００９２】
また、ＣＰＵ３１は、キー入力部３０の「モード切替」キー１８が操作されて、撮影モードが選択された場合には、後述する撮影処理を実行する。具体的には、ＣＰＵ３１は、ＲＡＭ２９内のメモ情報データテーブル２９Ｃから、指定されたページＮｏに対応するＲＡＭ２９内のメモ情報データテーブル２９Ｃのメモ情報データ記憶領域２９Ｃ１に記憶されているメモ情報を読み出してＬＣＤ６に表示し、続いて、「シャッター」キー９が操作された場合には、タイミングジェネレータ２４に映像取り込み信号を発生して、ＣＣＤ２０から映像を取り込みＤＲＡＭ２５に一旦記憶させる。そして、ＣＰＵ３１は、このＤＲＡＭ２５に記憶された画像データに対して、色演算処理をして、映像信号から輝度信号と色信号とを作成し、この輝度信号と色信号を圧縮／伸長回路２６に転送して、輝度信号と色信号のデータを圧縮させ、この圧縮された圧縮データをフラッシュメモリ２７の指定されたページＮｏに対応する画像データ記憶領域２７Ａに記憶する。
【００９３】
また、ＣＰＵ３１は、キー入力部３０の「モード切替」キー１８が操作されて、報知モードが選択された場合には、後述する報知処理を実行する。具体的には、ＣＰＵ３１は、メモ情報データテーブル２９Ｃのメモ情報データ記憶領域２９Ｃ１に記憶されている撮影予定時間が到来した場合に、撮影予定時間と、この撮影予定時間に対応する被写体データをＬＣＤ６に表示すると共に、スピーカ４３にアラーム音等を報音させる。
【００９４】
また、ＣＰＵ３１は、「モード切替」キー１８が操作されて、ページ状況確認モードが選択された場合には、後述するページ情報確認処理を実行する。具体的には、ＣＰＵ３１は、メモ情報データテーブル２９Ｃの全ページＮｏのメモ情報及び撮影状況フラグを検索して、撮影状況をＬＣＤ６に表示する。
【００９５】
また、ＣＰＵ３１は、「モード切替」キー１８が操作されて表示モードに設定された場合には、後述する表示モード処理を実行する。具体的には、ＣＰＵ３１は、フラッシュメモリから指定されたページＮｏに対応する画像メモリ領域２７Ａに記憶されている圧縮データ（圧縮輝度信号と色信号）を読み出して、圧縮／伸長回路２６に転送し、この圧縮／伸長部回路２６で伸長された輝度信号と色信号とをシグナルジェネレータ３２に転送し、シグナルジェネレータ３２にビデオ信号に変換させた後、ＬＣＤ６に表示する。また、ＣＰＵ３１は、指定されたページＮｏに圧縮データが格納されていない場合で、この指定されたページＮｏに対応するメモ情報データテーブル２９Ｃのメモ情報データ記憶領域２９Ｃ１にメモ情報が入力されている場合には、このメモ情報をＬＣＤ６に表示する。
【００９６】
次に本実施の形態のデジタルカメラの動作を説明する。
図５は、ＣＰＵ３１により実行されるメモ情報入力処理を説明するためのフローチャートであり、以下、かかるメモ情報入力モード処理を図５のフローチャートを参照しつつ説明する。図５のフローチャートに示す各機能を実行するためのプログラムは、ＣＰＵ３１が読取可能なプログラムコードの形態で上記ＲＯＭ２８に格納されている。
【００９７】
デジタルカメラ１では、キー入力部３０の「モード切替」キー１８でメモ情報入力モードが選択された場合には、図５に示すメモ情報入力処理が実行される。
【００９８】
図５において、先ず、ＣＰＵ３１は、ＲＡＭ２９のページポインタＰを初期化して「１」に設定する（ステップＳ１）。
【００９９】
次いで、操作者により、キー入力部３０の「＋」キー１１、「−」キー１２の操作により、ページＮｏが指定されると（ステップＳ２）、ＣＰＵ３１は、指定されたページＮｏの値にページポインタＰの値を設定する（ステップＳ３）。次いで、「編集」キーにより、新規作成か編集かのモード選択がおこなわれる（ステップＳ４）。新規作成が選択された場合には、ステップＳ５に移行して、操作者によりタッチパネル４０から撮影予定の被写体のメモ情報が新たに入力され（ステップＳ５）、ＲＡＭ４内の情報データテーブルのページポインタＰ値で指定されるページＮｏに対応するメモ情報データ記憶領域２９Ｃ１に書き込む（ステップＳ６）。例えば、“ページＮｏ５”が指定され、メモ情報として“和式花嫁”が入力された場合には、情報データテーブル２９のページＮｏ５に対応するメモ情報データ記憶領域２９Ｃ１に“和式花嫁”が書き込まれる。尚、メモ情報データ記憶領域２９Ｃ１の指定されたページＮｏに既にデータが書き込まれている場合には、重ね書きされ、前のメモ情報データは消去されることになる。
【０１００】
一方、ステップＳ４において、編集が選択された場合には、ステップＳ７に移行して、ＲＡＭ２９内の情報データテーブル２９Ｃ１の指定されたページＮｏに対応するメモ情報データ記憶領域２９Ｃ１に格納されているメモ情報データを読み出して、ＬＣＤ６に表示する。次いで、操作者によるタッチパネル４０の操作により表示されたメモ情報の編集が行われる（ステップＳ８）。次いで、ＣＰＵ３１は、ＲＡＭ２９内のメモ情報データテーブル２９Ｃ１のページポインタＰで指定されるページＮｏに対応するメモ情報データ記憶領域２９Ｃ１に編集されたメモ情報を書き込む（ステップＳ９）。
【０１０１】
次いで、ステップＳ１０では、ＣＰＵ３１は、キー入力部３０の「終了」キーが操作されて、メモ情報入力モード処理の終了を検出した場合には、このメモ情報入力モード処理を終了し、終了を検出しなかった場合には、ステップＳ２に移行する。
【０１０２】
以上説明したメモ情報入力処理によれば、撮影予定の絵や記号や文字等のメモ情報をＲＡＭ２９内のメモ情報データテーブル２９Ｃに格納する構成であるので、撮影予定の被写体を撮るためのページの予約が可能となり、撮影予定の被写体の取り忘れを防止することが可能となる。
【０１０３】
図６は、ＣＰＵ３１により実行されるメモ情報表示処理を説明するためのフローチャートであり、以下、かかるメモ情報表示処理を図６のフローチャートを参照しつつ説明する。図６のフローチャートに示す各機能を実行するためのプログラムは、ＣＰＵ３１が読取可能なプログラムコードの形態で上記ＲＯＭ２８に格納されている。
【０１０４】
デジタルカメラ１では、キー入力部３０の「モード切替」キー１８でメモ情報表示モードが選択された場合には、図６に示すメモ情報表示処理が実行される。
【０１０５】
図６において、先ず、ＣＰＵ３１は、ＲＡＭ２９のページポインタＰを初期化して「１」に設定する（ステップＳ２０）。
【０１０６】
次いで、操作者による「編集」キーの操作により、ページ指定表示、一括表示、コマ送り表示の何れかのモード選択がおこなわれる（ステップＳ２１）。
【０１０７】
ページ指定表示が選択された場合には、ステップＳ２２に移行して、キー入力部３０の「＋」キー１１、「−」キー１２の操作により、ページＮｏが指定されると、ＣＰＵ３１は、指定されたページＮｏの値にページポインタＰの値を設定する（ステップＳ２３）。
【０１０８】
次いで、ＣＰＵ３１は、ＲＡＭ２９内のメモ情報データテーブル２９Ｃから、ページポインタＰで指定されるページＮｏに対応するメモ情報データ記憶領域２９Ｃ１に格納されたメモ情報を読み出して、ＬＣＤ２４に表示する（ステップＳ２４）。続いて、ＣＰＵ３１は、「終了」キーが操作されて、このページ指定表示の終了を検出した場合には、ステップＳ２５に移行する一方、ページ指定の終了を検出しなかった場合にはステップＳ２２に移行する。
【０１０９】
また、ステップＳ２１で、ＣＰＵ３１は、一括表示が選択された場合には、ステップＳ２６に移行して、ＲＡＭ２９内のメモ情報データテーブル２９Ｃから、ページＮｏ順に、メモ情報データ記憶領域２９Ｃ１に格納されたメモ情報を順次読み出して、例えば、図７に示すように、ＬＣＤ６に一括表示する（ステップＳ２６）。
【０１１０】
また、ステップＳ２１で、ＣＰＵ３１は、コマ送り表示（順次表示）が指定された場合には、ステップＳ２７に移行して、ＲＡＭ４内の情報データテーブルから、ページポインタＰで指定されるページＮｏに対応するメモ情報データ記憶領域２９Ｃ１に格納されたメモ情報を読み出して、ＬＣＤ６に表示する。次いで、ＣＰＵ３１は、所定時間（例えば、１秒）待ち（ステップＳ２８）、次いで、ページポインタ値Ｐを「１」インクリメントする（ステップＳ２９）。そして、ＣＰＵ３１は、メモ情報データが終了したか否か、即ち、ページポインタＰ＞Ｎとなったか否かを判断して（ステップＳ３０）、メモ情報データが終了していない場合には、ステップＳ２７に移行して、メモ情報データが終了するまで同じ処理を繰り返す。これにより、メモ情報テーブル２９Ｃに格納されたメモ情報がページ順に順次読み出されて、ＬＣＤ６にページ順に順次表示されることになる。
【０１１１】
次いで、ステップＳ３１では、ＣＰＵ３１は、「終了」キーが操作されて、メモ情報表示処理の終了を検出した場合には、このメモ情報表示処理を終了し、終了を検出しなかった場合には、ステップＳ２１に移行する。
【０１１２】
以上説明したように、上記したメモ情報表示処理によれば、メモ情報データテーブル２９Ｃに格納されたメモ情報を、ページＮｏを指定して表示する方法、一括して表示する方法、若しくは、コマ送り表示（順次表示）により表示することができ、入力したメモ情報を簡単に確認することができ、撮影予定の被写体の撮影忘れを防止することができる。
【０１１３】
図８は、ＣＰＵ３１により実行される撮影処理を説明するためのフローチャートであり、以下、かかる撮影処理を図８のフローチャートを参照しつつ説明する。図８のフローチャートに示す各機能を実行するためのプログラムは、ＣＰＵ３１が読取可能なプログラムコードの形態で上記ＲＯＭ２８に格納されている。
【０１１４】
デジタルカメラでは、キー入力部３０の「モード切替」キー１８で撮影モードが選択された場合には、図８に示す撮影処理が実行される。
【０１１５】
図８において、先ず、ＣＰＵ３１は、ＲＡＭ２９のページポインタＰを初期化して「１」に設定する（ステップＳ４０）。次いで、キー入力部３０の「＋」キー１１、「−」キー１２の操作により、ページＮｏが指定されると（ステップＳ４１）、ＣＰＵ３１は、指定されたページＮｏの値にページポインタＰの値を設定する（ステップＳ４２）。
【０１１６】
次いで、ＣＰＵ３１は、ＲＡＭ２９内のメモ情報データテーブル２９Ｃから、ページポインタＰで指定されるページＮｏに対応するメモ情報データ記憶領域２９Ｃ１に格納されているメモ情報を読み出して、ＬＣＤ６に表示する（ステップＳ４３）。次いで、操作者により、このページＮｏでＯＫか否かの確認が行われ（ステップＳ４４）、入力部３０の操作により、ＯＫが指定された場合には、ステップＳ４５に移行し、このときＣＣＤ２０から取り込んだビデオスルーの画像データと指定したメモ情報データを合成してＬＣＤ６に表示する。なお、このビデオスルー画像データへのメモ情報データの合成表示は所定のキー操作により表示／非表示を切り替えるようにしてもよい。一方、キャンセルが指定された場合には、ステップＳ４１に移行して、再度ページ指定が為される。
【０１１７】
ステップＳ４５では、ＣＰＵ３１は、「シャッター」キー９の入力待ちとなり、「シャッター」キー９が操作された場合には、タイミングジェネレータ２４に映像取り込み信号を発生して、ＣＣＤ２０から映像を取り込みＤＲＡＭ２５に一旦記憶させる（ステップＳ４６）。続いて、ＣＰＵ３１は、このＤＲＡＭ２５に記憶された画像データに対して、色演算処理をして、映像信号から輝度信号と色信号とを作成し、この輝度信号と色信号を圧縮／伸長回路２６に転送して、輝度信号と色信号のデータを圧縮させ、この圧縮された圧縮データを、フラッシュメモリ２７のページポインタＰで指定されるページＮｏの画像データ記憶領域２７Ａに記憶する（ステップＳ４７）。
【０１１８】
次いで、ＣＰＵ３１は、ページポインタＰ値で指定されるページＮｏに対応するメモ情報データテーブルの撮影状況フラグ記憶領域の撮影状況フラグを撮影済みを示す「１」に設定する（ステップＳ４８）。また、この場合、画像を撮影したページＮｏに対応するメモ情報データ記憶領域２９Ｃ１に格納されているメモ情報データを消去する構成としても良い。
【０１１９】
次いで、ステップＳ４９では、ＣＰＵ３１は、「終了」キーが操作されて、撮影処理の終了を検出した場合には、この撮影処理を終了し、終了を検出しなかった場合には、ステップＳ４１に移行する。
【０１２０】
以上説明したように、上記撮影処理によれば、指定したページＮｏに対応するメモ情報を、メモ情報データテーブル２９Ｃから読み出してＬＣＤ６に表示し、操作者はこのメモ情報を確認してから「シャッター」キー９を操作する構成であるので、撮影予定のメモ情報を見ながら被写体を確認して、被写体を撮影することができ、撮影予定の被写体の取り忘れ及び被写体の取り間違いを防止することができる。
【０１２１】
また、撮影したメモ情報を消去する構成であるので、不要なメモ情報を消去することが可能となり、操作者の使い勝手が良くなる。
【０１２２】
図９は、ＣＰＵ３１により実行される報知処理を説明するためのフローチャートである。この報知処理は、デジタルカメラの本体の電源が投入されている状態で、他の処理が実行されていない場合には、常に実行されるものとする。また、時計回路では、常時現在時刻の計測が行われているものとする。
【０１２３】
以下、かかる報知処理を図９のフローチャートに基づいて説明する。
ＣＰＵは、デジタルカメラ本体の電源が投入されると、ＲＡＭ内のメモ情報テーブル２９Ｃの撮影予定時間データ記憶領域２９Ｃ１Ｂに格納されている全ての撮影予定時間データと、時計回路４１から送出される現在時刻データとを比較して（ステップＳ５０）、現在時刻データが撮影予定時間データの何れかと一致した場合には、操作者に撮影予定時間が到来したことを報知すべく、メモ情報データテーブル２９Ｃから、現在時刻と一致する撮影予定時間データに対応するページＮｏの被写体データを読み出して、読み出した被写体データと撮影予定時間データをＬＣＤ６に表示すると共に、報音指令信号をスピーカー４３に供給してアラーム音を報音させる（ステップＳ５１）。次いで、電源がＯｆｆされた場合は（ステップＳ５２）、当該報音処理を終了する一方、電源がＯｆｆされていない場合は、ステップＳ６０に移行して同じ処理を繰り返す。
【０１２４】
以上説明したように、上記した報知処理によれば、メモ情報データテーブルに格納されている撮影予定時間が到来した場合に、当該撮影予定時間に対応する被写体データを表示部に表示すると共に、アラーム音等を報音する構成であるので、操作者に、撮影予定時間を報知することができ、撮影予定時間となった際に、撮影を忘れることなく行うことが可能となる。
【０１２５】
図１０は、ＣＰＵ３１により実行されるページ情報確認処理を説明するためのフローチャートであり、図１１は、当該ページ情報確認処理によりＬＣＤ６に表示される具体的な表示例である。図１０のフローチャートに示す各機能を実行するためのプログラムは、ＣＰＵ３１が読取可能なプログラムコードの形態で上記ＲＯＭ２８に格納されている。
以下、かかるメモ情報確認処理を図１０のフローチャートに基づいて図１１を参照して説明する。
【０１２６】
デジタルカメラでは、キー入力部３０の「モード切替」キー１８でページ情報確認モードが選択された場合には、ページ情報確認処理が実行される。
【０１２７】
図１０において、先ず、ＣＰＵ３１は、ＲＡＭ２０内のメモ情報データメモリ２９の全ページＮｏのメモ情報及び撮影状況フラグをページ順に順次検索し、予約（メモ情報が入力されていることを言う）有りの未撮影（事前に予約したのに、まだ撮影していないページ数）、予約ありの撮影済み（事前に予約し、その後撮影したページ数）、予約無しの未撮影（事前に予約しないで、まだ未撮影撮のページ数）、及び予約なしの撮影済み（事前に予約しないで、その後撮影したページ数）の４つの分類毎にページ数を集計し（ステップＳ６０）、その集計結果（ページ状況画面）をＬＣＤ６に表示する（ステップＳ６１）。
【０１２８】
図１１に示すＬＣＤ６の“ページ状況画面”の表示例では、予約と撮影の有無をマトリックスで表示しており、この具体例では、予約有りの未撮影が２０ページ、予約ありの撮影済みが３９ページ、予約無しの未撮影が１３ページ、予約なしの撮影済みが２４ページあることを夫々示している。
【０１２９】
以上説明したように、上記ページ情報確認モード処理によれば、ＣＰＵ３１は、メモ情報データテーブル２９Ｃの全ページＮｏのメモ情報及び撮影状況フラグを検索して、撮影状況をＬＣＤ６に表示する構成であるので、操作者は、予約状況と撮影状況を容易に確認することが可能となる。
【０１３０】
図１２は、ＣＰＵ３１により実行される表示処理を説明するためのフローチャートであり、以下、かかる表示処理を図１２のフローチャートを参照しつつ説明する。図１２のフローチャートに示す各機能を実行するためのプログラムは、ＣＰＵ３１が読取可能なプログラムコードの形態で上記ＲＯＭ２８に格納されている。
【０１３１】
デジタルカメラ１では、キー入力部３０の「モード切替」キー１８で表示モードが選択された場合には、表示処理を実行する。
【０１３２】
図１２において、先ず、ＣＰＵ３１は、ＲＡＭ２９のページポインタをＭＩＮページの値である「１」に初期化する（ステップＳ７０）。
【０１３３】
次いで、ＣＰＵ３１は、フラッシュメモリ２７のページポインタＰで指定されるページＮｏの画像データ記憶領域２７Ａに圧縮データが格納されているか否かを判断し（ステップＳ７１）、圧縮データが格納されている場合には、ステップＳ７２に移行する。ステップＳ７２では、ＣＰＵ３１は、フラッシュメモリ２７から、ページポインタＰで指定されるページＮｏの画像データ記憶領域２７Ａから圧縮データ（圧縮輝度信号と色信号）を読み出して（ステップＳ７２）、圧縮／伸長回路２６に転送し、続いて、この圧縮／伸長部回路２６で伸長された輝度信号と色信号とをシグナルジェネレータ３２に転送して、シグナルジェネレータ３２にビデオ信号に変換させた後、ＬＣＤ６に表示する（ステップＳ７３）。
【０１３４】
一方、ステップＳ７１で、ＣＰＵ３１は、指定されたページＮｏに圧縮データが格納されていない場合には、ステップＳ７９に移行して、メモ情報データテーブル２９Ｃの指定されたページＮｏに対応するメモ情報データ記憶領域２９Ｃ１にメモ情報データが格納されているか否かを判断する。
【０１３５】
メモ情報データが格納されていると判断した場合には、ステップＳ８０に移行して、メモ情報データテーブル２９Ｃから、指定されるページＮｏに対応するメモ情報データ記憶領域２９Ｃ１に格納されているメモ情報を読み出して、ＬＣＤ６に表示する。この場合、撮影予定の被写体のメモ情報が入力されていてまだ未撮影のページのメモ情報をＬＣＤ６に表示する際には、ＬＣＤ６のフレームを黒等で識別表示して、撮影済みと未撮影済みのページの差を明確にしても良い。
【０１３６】
そして、ステップＳ７４では、ＣＰＵ３１は、キー入力待ちとなり、ここで、キー入力が為されるとステップＳ７５に移行して、このキー入力が「＋」キー１１の入力であるか否かを判断し、「＋」キー１１の入力でない場合はステップＳ７７に移行する。
【０１３７】
また、ステップＳ７５で、ＣＰＵ３１は、「＋」キー１１の入力であると判断した場合は、ＲＡＭ２９のページポインタＰを「１」インクリメントした後（ステップＳ７６）、ステップＳ７１に移行する。
【０１３８】
ステップＳ７６では、ステップＳ３４で為されたキー入力が「ー」キー１２であるか否かを判断し、「ー」キー１２の入力でない場合は、ステップＳ７４に移行する。また、ステップＳ７７で、「ー」キー１２の入力であると判断した場合は、ＲＡＭ２９のページポインタＰを「１」デクリメントした後、ステップＳ７１に移行する。
【０１３９】
以上説明したように、上記した表示処理では、撮像して格納された画像若しくはメモ情報を表示する構成であるので、操作者は、撮影した画像若しくはメモ情報を確認することが可能となる。
【０１４０】
次に、デジタルカメラの動作（上記メモ情報入力処理、撮影処理、報知処理、及び表示処理）の具体例を図１３〜図１５を参照して説明する。
【０１４１】
図１３及び図１４は、“結婚式”を撮影する場合の具体例であり、例えば、図１３（Ａ）に示す如く、撮影予定の被写体のメモ情報として、入力ペン５０の操作によってタッチパネル４０から、１ページに“教会”、２ページに“司会者”、３ページに“ケーキ”、４ページに“和式花嫁”、５ページに“新郎と新婦”、の文字情報を入力する（上記メモ情報入力処理）。そして、撮影時に、ＬＣＤ６に表示されるメモ情報に従って、図１３（Ｂ）の如く、各ページ毎にメモ情報の被写体を撮影すると（上記撮影処理）、撮影予定の被写体の撮り忘れを防止することができると共に、所望の撮影順序で撮影することが可能となる。
【０１４２】
また、この場合、図１４に示す如く、撮影予定の被写体のメモ情報が入力されていてまだ未撮影のページをＬＣＤ６に表示する際には、表示画面のフレームを黒等で識別表示して、撮影済みと未撮影済みのページの差を明確にしても良い。図１４の具体例では、１ページの“教会”と３ページの“ケーキ”が未撮影で、ページのフレーム線が太線表示されている（上記表示処理）。
【０１４３】
図１５は、“運動会”を撮影する場合の具体例であり、この例では、メモ情報として、撮影予定の被写体と被写体の撮影予定時間が入力される。
図１５（Ａ）に示す如く、撮影予定のメモ情報として、入力ペン５０の操作によってタッチパネル２５から、１ページに“パン食い競争  １０：００”、２ページに“二人三脚  １０：３０”、３ページに“組み体操  １１：００”、４ページに“応援する両親”、５ページに“応援団長”を入力する（上記メモ情報入力処理）。そして、ＣＰＵ３１は撮影予定時間になると、操作者に報知するために、ＣＰＵ３１は報音指令信号をスピーカー４３に供給してアラーム音を報音させる（上記報知処理）。
【０１４４】
そして、撮影時に、ＬＣＤ６に表示されるメモ情報（撮影予定の被写体及び撮影予定時間）に従って、図１５（Ｂ）の如く、各ページ毎にメモ情報の被写体を撮影すると、撮影予定の被写体の撮り忘れを防止することができると共に、所望の撮影順序でかつ予定時間どおりに撮影することが可能となる（上記撮影処理）。
【０１４５】
尚、上記した実施の形態では、メモ情報を入力する手段としてタッチパネルを用いたが本発明はこれに限定されるものではなく、例えば、キー入力部３０のキー入力によりメモ情報を入力しても良い。
【０１４６】
尚、上記した実施の形態では、上記図３及び図４に示したように、撮像して圧縮処理した圧縮データと、メモ情報とを別々の記憶領域に記憶する構成であるが、圧縮データとメモ情報とをフラッシュメモリの同じ記憶領域に記憶する構成としても良い。即ち、フラッシュメモリ２７を、図１６に示す構成として、圧縮データとメモ情報とを同じ記憶領域に格納する構成としても良い。
【０１４７】
図１６に示したフラッシュメモリ２７の構成を具体的に説明する。
図１６に示すように、フラッシュメモリ２７は、圧縮／伸張回路２６により圧縮された圧縮データ及び入力されたメモ情報データを記憶するデータ記憶領域２７Ｂを備えており、データ記憶領域２７Ｂに格納される圧縮データ及びメモ情報データ（被写体データ及び撮影予定時間データ）は、ページＮｏに関連付けて記憶される。この場合、メモ情報データが格納されているページＮｏに、圧縮データを記憶する場合には、重ね書きしてメモ情報データは消去されることになり、同様に、圧縮データが格納されているページＮｏに、メモ情報データを記憶する場合には、重ね書きして圧縮データは消去されることになる。
【０１４８】
尚、上記した実施の形態では、メモ情報を入力する手段としてタッチパネルを用いたが本発明はこれに限定されるものではなく、例えば、キー入力部３０のキー入力、あるいは通信を使用した外部機器（例えば、パーソナルコンピュータ）によりメモ情報を入力しても良い。また、画像を撮影すると対応するメモ情報を消去するようにしたが、消去せずそのまま残しておいても良い。これにより、撮影した画像データを外部機器に送信する時、対応するメモ情報も同時に送れば、アルバムの作成時に新たにメモ情報を入力する必要がなくなる。すなわち、図１７に示したように、画像を送信するために送信処理を実行する。まず、送信する画像のページを指定して送信キーを操作する（ステップＳ８１）。このとき、指定したページＮｏの画像対応するメモ情報があるか否かを判別し（ステップＳ８２）、対応するメモ情報があれば、画像と共にメモ情報を外部機器に送信し（ステップＳ８３）、メモ情報がなければ、画像のみを外部機器に送信する（ステップＳ８４）。
【０１４９】
また、本発明は、例えば、ＣＣＤカメラを備えたＰＣＭＣＩＡ（Personal Computer Memory Card International Association ）規格のＰＣカメラカードなどを装着することにより撮像機能（画像入力機能）を有することとなるパーソナルコンピュータなどの電子機器に対しても適用可能である。
【０１５０】
また、上記実施の形態におけるデジタルカメラでは、各種制御プログラムを記憶媒体であるＲＯＭに格納する構成としたが、記憶媒体はＲＯＭに代表される半導体メモリに限定されるものではなく、磁気的、光学的記録媒体などであってもよい。また、この記憶媒体は、デジタルカメラに対して着脱自在に装着可能なものであってもよい。
【図面の簡単な説明】
【０１５１】
【図１】本発明の実施の形態に係るデジタルカメラの斜視図。
【図２】図１のデジタルカメラの回路構成を示すブロック図。
【図３】図２のフラッシュメモリのメモリ構成を示す図である。
【図４】図２のＲＡＭのメモリ構成を示す図である。
【図５】ＣＰＵの制御により実行されるメモ情報入力処理を説明するためのフローチャートである。
【図６】ＣＰＵの制御により実行されるメモ情報表示処理を説明するためのフローチャートである。
【図７】図６のメモ情報表示処理においてメモ情報が一括表示される表示例である。
【図８】ＣＰＵの制御により実行される撮影処理を説明するためのフローチャート。
【図９】ＣＰＵの制御により実行される報知処理を説明するためのフローチャート。
【図１０】ＣＰＵの制御により実行されるページ情報確認処理を説明するためのフローチャート。
【図１１】図１０のページ情報確認処理において表示されるページ状況確認画面の表示例である。
【図１２】ＣＰＵの制御により実行される表示処理を説明するためのフローチャートである。
【図１３】本実施の形態に係るデジタルカメラの具体的動作を説明するための第１の図である。
【図１４】本実施の形態に係るデジタルカメラの具体的動作を説明するための第２の図である。
【図１５】本実施の形態に係るデジタルカメラの具体的動作を説明するための第３の図である。
【図１６】図２のフラッシュメモリの他のメモリ構成例を示す図である。
【図１７】本実施の形態に係るデジタルカメラの画像の送信処理を説明するための図である。
【図１８】従来技術を説明するための第１の図である。
【図１９】従来技術を説明するための第２の図である。
【符号の説明】
【０１５２】
１      デジタルカメラ
４、５  ケース
６      ＬＣＤ
７      撮像レンズ
８      「電源」キー
９      「シャッター」キー
１０    「ＤＥＬ」キー
１１    「＋」キー
１２    「−」キー
１３    「編集」キー
１４    「ＤＩＳ」キー
１５    「ＺＯＯＭ」キー
１６    「ＰＲＯＴＥＣＴ」キー
１７    開閉蓋
１８    ファンクション切換キー
２０    ＣＣＤ
２２    Ａ／Ｄ変換器
２３    駆動回路
２４    タイミングジェネレータ
２５    ＤＲＡＭ
２６    圧縮／伸長回路
２７    フラッシュメモリ
２８    ＲＯＭ
２９    ＲＡＭ
３０    キー入力部
３１    ＣＰＵ
３２    シグナルジェネレータ
３３    ＶＲＡＭ
３４    Ｄ／Ａ変換器
３５    アンプ
３６    Ｉ／Ｏポート
４０    タッチパネル
４１    時計回路
４２    アンプ
４３    スピーカー
【図１】
2006141075.tif 000003
【図２】
2006141075.tif 000004
【図３】
2006141075.tif 000005
【図４】
2006141075.tif 000006
【図５】
2006141075.tif 000007
【図６】
2006141075.tif 000008
【図７】
2006141075.tif 000009
【図８】
2006141075.tif 000010
【図９】
2006141075.tif 000011
【図１０】
2006141075.tif 000012
【図１１】
2006141075.tif 000013
【図１２】
2006141075.tif 000014
【図１３】
2006141075.tif 000015
【図１４】
2006141075.tif 000016
【図１５】
2006141075.tif 000017
【図１６】
2006141075.tif 000018
【図１７】
2006141075.tif 000019
【図１８】
2006141075.tif 000020
【図１９】
2006141075.tif 000021
【手続補正書】
【提出日】平成18年2月14日(2006.2.14)
【手続補正１】
【補正対象書類名】特許請求の範囲
【補正対象項目名】全文
【補正方法】変更
【補正の内容】
【特許請求の範囲】
【請求項１】
被写体を撮像し、画像データを出力する撮像手段と、
撮像すべき画像に関するメモ情報を記憶するメモ情報記憶手段と、
このメモ情報記憶手段に記憶されているメモ情報を表示させる表示制御手段と、
撮像を指示する撮影指示手段と、
この撮像指示手段による撮像指示操作に応答して、前記撮像手段から出力された画像データを記録するとともに前記メモ情報記憶手段に記憶されているメモ情報を消去する制御手段と
を備えたことを特徴とするデジタルカメラ。
【請求項２】
前記メモ情報記憶手段は、複数のメモ情報を記憶する手段を含み、
前記メモ情報記憶手段に記憶されている複数のメモ情報の中からいずれか１つのメモ情報を選択するメモ情報選択手段を備え、
前記表示制御手段は、前記メモ情報選択手段により選択されたメモ情報を表示させ、
前記制御手段は、前記撮像指示手段による撮像指示に応答して前記メモ情報選択手段により選択されたメモ情報を消去することを特徴とする請求項１記載のデジタルカメラ。
【請求項３】
メモ情報を入力するメモ情報入力手段を備え、
前記メモ情報記憶手段は、前記メモ情報入力手段により入力されたメモ情報を記憶する手段を含むことを特徴とする請求項１又は２記載のデジタルカメラ。
【請求項４】
前記表示制御手段は、前記撮像手段から順次出力される画像データをスルー画像として表示させるとともに、前記メモ情報をスルー画像に合成して表示させる手段を含むことを特徴とする請求項１乃至３の何れかに記載のデジタルカメラ。
【請求項５】
前記表示制御手段は、所定のキー操作により前記スルー画像へのメモ情報の合成表示の有無を切り替える手段を含むことを特徴とする請求項４記載のデジタルカメラ。
【請求項６】
被写体を撮像し、画像データを出力する撮像手段と、
撮像すべき画像に関するメモ情報を記憶するメモ情報記憶手段と、
このメモ情報記憶手段に記憶されているメモ情報を表示させる表示制御手段と、
撮影を指示する撮影指示手段と、
この撮影指示手段による撮影指示操作に応答して、前記撮像手段から出力された画像データを記録するとともに前記メモ情報記憶手段に記憶されているメモ情報に関する撮像が完了した旨を示す情報を記憶する制御手段と
を備えたことを特徴とするデジタルカメラ。
【請求項７】
前記制御手段は、前記撮像指示手段による撮像指示操作に応答して前記メモ情報記憶手段に記憶されているメモ情報を消去する手段を含むことを特徴とする請求項６記載のデジタルカメラ。
【請求項８】
前記メモ情報記憶手段は、複数のメモ情報を記憶する手段を含み、
前記メモ情報記憶手段に記憶されている複数のメモ情報の中からいずれか１つのメモ情報を選択するメモ情報選択手段を備え、
前記表示制御手段は、前記メモ情報選択手段により選択されたメモ情報を表示させ、
前記制御手段は、前記撮像指示手段による撮像指示に応答して前記メモ情報選択手段により選択されたメモ情報に関する撮像が完了した旨を示す情報を記憶することを特徴とする請求項６又は７記載のデジタルカメラ。
【請求項９】
前記制御手段により記憶されたメモ情報に関する撮像が完了した旨を示す情報に基づき、前記メモ情報記憶手段に記憶されたメモ情報に関する撮像の有無を報知する報知手段を有することを特徴とする請求項６乃至８の何れかに記載のデジタルカメラ。
【請求項１０】
被写体を撮像し、画像データを出力する撮像手段と、
撮像すべき画像に関するメモ情報を記憶するメモ情報記憶手段と、
このメモ情報記憶手段に記憶されているメモ情報を表示させる第１の表示制御手段と、
撮影を指示する撮影指示手段と、
この撮影指示手段による撮影指示操作に応答して前記撮像手段から出力された画像データを記録する記録制御手段と、
前記記録制御手段により前記メモ情報に関する画像データが記録されている場合には記録済みの画像データを表示させ、前記記録制御手段により前記メモ情報に関する画像データが記録されていない場合にはメモ情報を表示させる第２の表示制御手段と
を備えたことを特徴とするデジタルカメラ。
【手続補正２】
【補正対象書類名】明細書
【補正対象項目名】０００６
【補正方法】変更
【補正の内容】
【０００６】
請求項１記載の発明は、被写体を撮像し、画像データを出力する撮像手段と、撮像すべき画像に関するメモ情報を記憶するメモ情報記憶手段と、このメモ情報記憶手段に記憶されているメモ情報を表示させる表示制御手段と、撮像を指示する撮影指示手段と、この撮像指示手段による撮像指示操作に応答して、前記撮像手段から出力された画像データを記録するとともに前記メモ情報記憶手段に記憶されているメモ情報を消去する制御手段とを備えたことを特徴とする。
【手続補正３】
【補正対象書類名】明細書
【補正対象項目名】０００７
【補正方法】変更
【補正の内容】
【０００７】
また、請求項２記載の発明は、請求項１記載の発明において、前記メモ情報記憶手段は、複数のメモ情報を記憶する手段を含み、前記メモ情報記憶手段に記憶されている複数のメモ情報の中からいずれか１つのメモ情報を選択するメモ情報選択手段を備え、前記表示制御手段は、前記メモ情報選択手段により選択されたメモ情報を表示させ、前記制御手段は、前記撮像指示手段による撮像指示に応答して前記メモ情報選択手段により選択されたメモ情報を消去することを特徴とする。
【手続補正４】
【補正対象書類名】明細書
【補正対象項目名】０００８
【補正方法】変更
【補正の内容】
【０００８】
また、請求項３記載の発明は、請求項１又は２記載の発明において、メモ情報を入力するメモ情報入力手段を備え、前記メモ情報記憶手段は、前記メモ情報入力手段により入力されたメモ情報を記憶する手段を含むことを特徴とする。
【手続補正５】
【補正対象書類名】明細書
【補正対象項目名】０００９
【補正方法】変更
【補正の内容】
【０００９】
また、請求項４記載の発明は、請求項１乃至３の何れか記載の発明において、前記表示制御手段は、前記撮像手段から順次出力される画像データをスルー画像として表示させるとともに、前記メモ情報をスルー画像に合成して表示させる手段を含むことを特徴とする。
【手続補正６】
【補正対象書類名】明細書
【補正対象項目名】００１０
【補正方法】変更
【補正の内容】
【００１０】
また、請求項５記載の発明は、請求項４記載の発明において、前記表示制御手段は、所定のキー操作により前記スルー画像へのメモ情報の合成表示の有無を切り替える手段を含むことを特徴とする。
【手続補正７】
【補正対象書類名】明細書
【補正対象項目名】００１１
【補正方法】変更
【補正の内容】
【００１１】
また、請求項６記載の発明は、被写体を撮像し、画像データを出力する撮像手段と、撮像すべき画像に関するメモ情報を記憶するメモ情報記憶手段と、このメモ情報記憶手段に記憶されているメモ情報を表示させる表示制御手段と、撮影を指示する撮影指示手段と、この撮影指示手段による撮影指示操作に応答して、前記撮像手段から出力された画像データを記録するとともに前記メモ情報記憶手段に記憶されているメモ情報に関する撮像が完了した旨を示す情報を記憶する制御手段とを備えたことを特徴とする。
【手続補正８】
【補正対象書類名】明細書
【補正対象項目名】００１２
【補正方法】変更
【補正の内容】
【００１２】
また、請求項７記載の発明は、請求項６記載の発明において、前記制御手段は、前記撮像指示手段による撮像指示操作に応答して前記メモ情報記憶手段に記憶されているメモ情報を消去する手段を含むことを特徴とする。
【手続補正９】
【補正対象書類名】明細書
【補正対象項目名】００１３
【補正方法】変更
【補正の内容】
【００１３】
また、請求項８記載の発明は、請求項６又は７記載の発明において、前記メモ情報記憶手段は、複数のメモ情報を記憶する手段を含み、前記メモ情報記憶手段に記憶されている複数のメモ情報の中からいずれか１つのメモ情報を選択するメモ情報選択手段を備え、前記表示制御手段は、前記メモ情報選択手段により選択されたメモ情報を表示させ、前記制御手段は、前記撮像指示手段による撮像指示に応答して前記メモ情報選択手段により選択されたメモ情報に関する撮像が完了した旨を示す情報を記憶することを特徴とする。
【手続補正１０】
【補正対象書類名】明細書
【補正対象項目名】００１４
【補正方法】変更
【補正の内容】
【００１４】
また、請求項９記載の発明は、請求項６乃至８の何れかに記載の発明において、前記制御手段により記憶されたメモ情報に関する撮像が完了した旨を示す情報に基づき、前記メモ情報記憶手段に記憶されたメモ情報に関する撮像の有無を報知する報知手段を有することを特徴とする。
【手続補正１１】
【補正対象書類名】明細書
【補正対象項目名】００１５
【補正方法】変更
【補正の内容】
【００１５】
また、請求項１０記載の発明は、被写体を撮像し、画像データを出力する撮像手段と、撮像すべき画像に関するメモ情報を記憶するメモ情報記憶手段と、このメモ情報記憶手段に記憶されているメモ情報を表示させる第１の表示制御手段と、撮影を指示する撮影指示手段と、この撮影指示手段による撮影指示操作に応答して前記撮像手段から出力された画像データを記録する記録制御手段と、前記記録制御手段により前記メモ情報に関する画像データが記録されている場合には記録済みの画像データを表示させ、前記記録制御手段により前記メモ情報に関する画像データが記録されていない場合にはメモ情報を表示させる第２の表示制御手段とを備えたことを特徴とする。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】変更
【補正の内容】
【００４４】
本発明によれば、メモ情報を記憶するメモ情報記憶手段を有し、撮像モード時にこのメモ情報を表示可能な構成であるので、撮影予定等のメモ情報を表示することができ、撮影予定の被写体の撮り忘れや被写体の撮り間違いを防止することが可能となる。
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５８
【補正方法】削除
【補正の内容】
【手続補正５５】
【補正対象書類名】明細書
【補正対象項目名】００５９
【補正方法】削除
【補正の内容】
【手続補正５６】
【補正対象書類名】明細書
【補正対象項目名】００６０
【補正方法】削除
【補正の内容】
【手続補正５７】
【補正対象書類名】明細書
【補正対象項目名】００６１
【補正方法】削除
【補正の内容】
【手続補正５８】
【補正対象書類名】明細書
【補正対象項目名】００６２
【補正方法】削除
【補正の内容】